(57)【要約】【課題】記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法及び光ディスク装置を提供することを目的とする。【解決手段】本発明の光ディスクの記録方法は、複数の記録層を持つ光ディスク１の記録方法であって、光ディスク１に記録する際（Ｓ１）に、記録の途中で記録の継続ができなくなった場合（Ｓ２）、光ディスク面上の記録の継続ができなくなった地点から内周方向でかつ異なった記録層に記録が継続されること（Ｓ５、Ｓ６）を特徴とする光ディスクの記録方法。【選択図】図２
2006216126.tif 000002
【特許請求の範囲】
【請求項１】
複数の記録層を持つ光ディスクの記録方法であって、前記光ディスクに記録する際に、記録の途中で記録の継続ができなくなった場合、光ディスク面上の記録の継続ができなくなった地点から内周方向で、かつ異なった記録層に記録が継続されることを特徴とする光ディスクの記録方法。
【請求項２】
前記複数の記録層を持つ光ディスクは、書き換え不可であることを特徴とする請求項１に記載の光ディスクの記録方法。
【請求項３】
前記異なった記録層に記録される記録開始位置の光ディスク中心からの距離は、前記光ディスク面上の記録の継続ができなくなった地点の光ディスク中心からの距離と略同一であることを特徴とする請求項１、２いずれか１項に記載の光ディスクの記録方法。
【請求項４】
複数の記録層を持つ光ディスクに記録する光ディスク装置であって、光ディスクに対して情報の記録を行なう光ピックアップと、光ディスクを回転させる回転駆動手段と、光ディスクへの記録の制御を行なう制御部を備え、前記制御部は、前記光ディスクに記録する際に、記録の途中で記録の継続ができなくなった場合、光ディスク面上の記録の継続ができなくなった地点から内周方向で、かつ異なった記録層に記録を継続させることを特徴とする光ディスク装置。
【請求項５】
複数の記録層を持つ光ディスクの記録方法であって、前記光ディスクに記録する際に、記録の途中で記録の継続ができなくなった場合、光ディスク面上の記録の継続ができなくなった地点から異なった記録層に記録が継続されることを特徴とする光ディスクの記録方法。
【発明の詳細な説明】
【技術分野】
【０００１】
本発明は、光ディスクに情報の記録を行う光ディスクの記録方法及び光ディスク装置に関するものである。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。
【０００３】
ここで、従来の光ディスク装置の構成について、図４を用いて説明する。
【０００４】
図４は、従来の光ディスク装置の構成を示すブロック図である。図４において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１２はレーザ駆動部、１３はコントローラである。
【０００５】
以上のように構成された従来の光ディスク装置の動作について説明する。図４において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスクの半径方向に移動させるためのフィード部６とによって構成されたものである。アナログ信号処理部８は、ピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
フォーカスエラー信号とは、光ピックアップ４に備えられた対物レンズ（図示せず）より出射される光ビームスポットと光ディスク１の記録面との焦点方向のずれをいう。トラッキングエラー信号とは、前記光スポットと光ディスク１の情報トラックとの光ディスク半径方向のずれをいう。また、アナログ信号処理部８は、トラッキングエラー信号の低域成分を取り出し、サーボ処理部９に出力する。サーボ処理部９は、対物レンズとキャリッジ５との相対的な位置関係を示すレンズ位置信号を生成し、モータ駆動部１０に出力する。
【０００７】
サーボ処理部９は、ＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６は、フィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【０００８】
コントローラ１３は、このように構成されたサーボ部の全体のコントロールを行うものであり、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。
【０００９】
以下、従来の光ディスクの記録方法について説明する。
【００１０】
図５は、従来の光ディスク装置の記録方法を示すフローチャートである。
【００１１】
起動処理を終えた光ディスク装置は、使用者の指示により光ディスク１への書き込みを行なう（Ｓ１１）。書き込み中には、コントローラ１３により常に書き込みエラーが発生していないかの監視が行なわれ（Ｓ１２）、その動作は、使用者の指示による書き込みが終了するまで続けられる。使用者の指示により書き込みが終了（Ｓ１３）すると、コントローラ１３の指示により、使用者からの次の命令がくるまで光ディスク装置は待機状態に入る（Ｓ１４）。書き込み中に行なわれる書き込みエラーの監視時に光ディスク１の不具合などにより書き込みエラーが発生すると、コントローラ１３は、その書き込み動作を終了（Ｓ１５）して、デジタル信号処理部１１を介してホストへ書き込みエラーの通知を行なう。ホストは、その通知を受けて、エラーメッセージを表示装置の画面などに表示して光ディスク１の書き込みを中止する。
【００１２】
先行例としては、（特許文献１）等がある。
【特許文献１】特開２００３−９９９３９号公報
【発明の開示】
【発明が解決しようとする課題】
【００１３】
近年、光ディスクは記憶容量の増大化が進み、使用者の利便性が向上された。特に、ＤＶＤ系の２層メディアに代表される複数の記録層を持つ光ディスクにおいては、単層メディアの数倍の容量を持つため、その記憶容量が飛躍的に大きくなっている。複数の記録層を持つＤＶＤ系のメディアでは、その急速な普及に伴い、各種記録メディアが発売され、その記録メディア特性が光ディスク装置の記録特性に大きな影響を与えている。
【００１４】
光ディスクは、その形成過程の制限により、完全に光ディスクの形状をフラットな同心円で形成することができない。つまり市場には、中心穴の位置が中心からずれた光ディスクや、光ディスクの外周側が反っている光ディスク等が存在する。また、最近ではインクジェットプリンターで、レーベル面が印刷可能なプリンタブルメディアと呼ばれるメディアが存在する。プリンタブルメディアは、インクジェットプリンターでの印刷を可能にするための専用の素材がレーベル面に塗布されており、その素材が温度変化により、伸縮する特性を有するため、光ディスクのポリカーボネイト板を引き伸ばしする。その結果、プリンタブルメディアは、環境温度変化により、光ディスクの半径方向に対して、光ディスク盤面が反るという特性を持つ。
【００１５】
このように光ディスクは、その製造上の制限やそれを構成する材料の収縮率などにより、左右もしくは上下方向の対称性に難がある光ディスクが存在する場合があり、特に光ディスクの外周側においては、それが顕著となる。このような光ディスクでは、一定のレーザパワーに対して、光ディスク盤面でのレーザの照射のされ方が異なるため、最適な記録品質を得るための、最適記録パワーが変化する。従って、レーザから出射される記録パワーを可変させ、光ディスク盤面での最適記録パワーを一定に保つための手段として、ランニングＯＰＣ処理や、記録領域を再生させての記録パワーの補正処理が確立されている。
【００１６】
ところが、光ディスクの最外周においては、光ディスクの反りなどが大きく、ランニングＯＰＣ処理や記録領域を再生させての記録パワーの補正処理を行なっても、補正することできない場合がある。その場合、従来の光ディスク装置ではエラーメッセージを表示装置の画面などに表示して光ディスクの書き込みを中止する。
【００１７】
特に、書き換え不可の記録型光ディスク、つまりＤＶＤ＋ＲやＤＶＤ＋Ｒ  ＤＬ等で上述のようなエラーが発生すると、その記録に用いていた光ディスクは使用できない光ディスクとなっていた。
【００１８】
本発明は、このような従来の課題を解決するものであり、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法及び光ディスク装置を提供することを目的とする。
【課題を解決するための手段】
【００１９】
本発明は、上記課題を解決するためになされたものであって、複数の記録層を持つ光ディスクの記録方法であって、光ディスクに記録する際に、記録の途中で記録の継続ができなくなった場合、光ディスク面上の記録の継続ができなくなった地点から内周方向でかつ異なった記録層に記録が継続されることを特徴とする光ディスクの記録方法である。
【００２０】
また、本発明の光ディスク装置は、複数の記録層を持つ光ディスクに記録する光ディスク装置であって、光ディスクに対して情報の記録を行なう光ピックアップと、光ディスクを回転させる回転駆動手段と、光ディスクへの記録の制御を行なう制御部を備え、制御部は、光ディスクに記録する際に、記録の途中で記録の継続ができなくなった場合、光ディスク面上の記録の継続ができなくなった地点から内周方向でかつ異なった記録層に記録を継続することを特徴とする光ディスク装置である。
【００２１】
さらに、複数の記録層を持つ光ディスクの記録方法であって、光ディスクに記録する際に、記録の途中で記録の継続ができなくなった場合、光ディスク面上の記録の継続ができなくなった地点から異なった記録層に記録が継続されることを特徴とする光ディスクの記録方法である。
【発明の効果】
【００２２】
本発明は上記構成により、複数の記録層を持つ光ディスクに記録をする際に、光ディスクの反りなどにより記録の途中で記録の継続ができなくなった場合、光ディスク面上の記録の継続ができなくなった地点から内周方向でかつ異なった記録層に記録が継続されることにより、光ディスクの反りなどによる光ディスク外周方向での記録エラーを回避することができ、従来、光ディスクの外周部で記録エラー発生した場合、無駄になっていた光ディスクの異なる記録層の内周部を無駄なく使用することができる。
【００２３】
また、本発明は、複数の記録層を持つ光ディスクの記録方法であって、光ディスクに記録する際に、記録の途中で記録の継続ができなくなった場合、光ディスク面上の記録の継続ができなくなった地点から異なった記録層に記録が継続されることによって、光ディスクに発生している何らかの部分的な欠損による記録エラーを回避することができ、従来、光ディスクに何らかの部分的な欠損による記録エラーが発生した場合、無駄になっていた異なる記録層を限りなく使用することができる。
【００２４】
そのため、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法及び光ディスク装置を実現することができる。
【発明を実施するための最良の形態】
【００２５】
請求項１記載の発明は、複数の記録層を持つ光ディスクの記録方法であって、前記光ディスクに記録する際に、記録の途中で記録の継続ができなくなった場合、光ディスク面上の記録の継続ができなくなった地点から内周方向でかつ異なった記録層に記録が継続されることを特徴とするものである。光ディスクに記録する際に、記録の途中で記録の継続ができなくなった場合、光ディスク面上の記録の継続ができなくなった地点から内周方向へ記録が継続されることによって、複数の記録層を持つ光ディスクに記録をする際に、光ディスクの反りなどにより記録の途中で記録の継続ができなくなった場合、光ディスク面上の記録の継続ができなくなった地点から内周方向で、かつ異なった記録層に記録が継続されることにより、光ディスクの反りなどによる光ディスク外周方向での記録エラーを回避することができ、従来、光ディスクの外周部で記録エラーが発生した場合、無駄になっていた光ディスクの異なる記録層の内周部を限り無駄なく使用することができる。そのため、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法を実現することができる。
【００２６】
請求項２記載の発明は、前記複数の記録層を持つ光ディスクが、書き換え不可であることを特徴とするものである。複数の記録層を持つ光ディスクが、書き換え不可であることによって、従来、光ディスクの外周部で記録エラーが発生した場合、完全に使用不可となっていた光ディスクを使用可能な領域のみ救済することが可能となる。
【００２７】
請求項３記載の発明は、前記異なった記録層に記録される記録開始位置の光ディスク中心からの距離が、前記光ディスク面上の記録の継続ができなくなった地点の光ディスク中心からの距離と略同一であること特徴とするものである。異なった記録層に記録される記録開始位置の光ディスク中心からの距離が、光ディスク面上の記録の継続ができなくなった地点の光ディスク中心からの距離と略同一であることによって、光ディスクの反りなどにより記録の途中で記録の継続ができなくなった場合、光ディスクの残された使用可能な部分を最大限に生かすことができる。
【００２８】
請求項４記載の発明は、複数の記録層を持つ光ディスクに記録する光ディスク装置であって、光ディスクに対して情報の記録を行なう光ピックアップと、光ディスクを回転させる回転駆動手段と、光ディスクへの記録の制御を行なう制御部を備え、前記制御部は、前記光ディスクに記録する際に、記録の途中で記録の継続ができなくなった場合、光ディスク面上の記録の継続ができなくなった地点から内周方向へ記録が継続することを特徴とするものである。複数の記録層を持つ光ディスクに記録をする際に、光ディスクの反りなどにより記録の途中で記録の継続ができなくなった場合、光ディスク面上の記録の継続ができなくなった地点から内周方向でかつ異なった記録層に記録が継続されることにより、前記光ディスクに記録する際に、記録の途中で記録の継続ができなくなった場合、光ディスク面上の記録の継続ができなくなった地点から内周方向へ記録が継続されることによって、複数の記録層を持つ光ディスクに記録をする際に、光ディスクの反りなどにより記録の途中で記録の継続ができなくなった場合、光ディスク面上の記録の継続ができなくなった地点から内周方向でかつ異なった記録層に記録が継続されることにより、光ディスクの反りなどによる光ディスク外周方向での記録エラーを回避することができ、従来、光ディスクの外周部で記録エラーが発生した場合、無駄になっていた光ディスクの異なる記録層の内周部を限り無駄なく使用することができる。そのため、記録型光ディスクへの記録中に記録エラーが発生するような場合であっても、光ディスクが複数の記録層を持つ場合には、記録エラーが発生する確率を低減し、光ディスクの容量を有効活用することが可能な光ディスク装置を実現することができる。
【００２９】
請求項５記載の発明は、複数の記録層を持つ光ディスクの記録方法であって、前記光ディスクに記録する際に、記録の途中で記録の継続ができなくなった場合、光ディスク面上の記録の継続ができなくなった地点から異なった記録層に記録が継続されることを特徴とするものである。光ディスクに記録する際に、記録の途中で記録の継続ができなくなった場合、光ディスク面上の記録の継続ができなくなった地点から異なった記録層に記録が継続されることによって、光ディスクに発生している何らかの部分的な欠損による記録エラーを回避することができ、従来、光ディスクに何らかの部分的な欠損による記録エラーが発生した場合、無駄になっていた異なる記録層を限りなく使用することができる。そのため、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法を実現することができる。
【００３０】
（実施の形態１）
以下、本発明の一実施の形態について、複数の記録層を持つ光ディスクの一例としてＤＶＤ＋Ｒ  ＤＬ（Ｄｏｕｂｌｅ  Ｌａｙｅｒ）を用いて、図面を参照しながら説明する。ＤＶＤ＋Ｒ  ＤＬは、ディスクの厚み方向に記録層が２層設けられた光ディスクであり、最初に記録される記録層をＬａｙｅｒ１層と呼び、次に記録される記録層をＬａｙｅｒ２層と呼ぶ。ここでは、光ピックアップに近い方からＬａｙｅｒ１層、Ｌａｙｅｒ２層の順に配置されているものとする。
【００３１】
図１は、本発明の一実施の形態における光ディスク装置の構成を示すブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１２はレーザ駆動部、１３はコントローラである。
【００３２】
ここで、コントローラ１３は本発明の制御部を構成し、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、コントローラ１３は、少なくとも、演算機能を備えたＣＰＵ、ＭＰＵ等の演算処理装置や、ＲＯＭ、ＲＡＭ等の記憶装置を備えている。
【００３３】
以上のように構成された本発明における光ディスク装置の動作について説明する。
【００３４】
図１において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスク１の半径方向に移動させるためのフィード部６とによって構成されたものである。アナログ信号処理部８は、ピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【００３５】
フォーカスエラー信号とは、光ピックアップ４に備えられた対物レンズ（図示せず）より出射される光ビームスポットと光ディスク１の記録面との焦点方向のずれをいう。トラッキングエラー信号とは、前記光スポットと光ディスク１の情報トラックとの光ディスク１半径方向のずれをいう。また、アナログ信号処理部８は、トラッキングエラー信号の低域成分を取り出し、サーボ処理部９に出力する。サーボ処理部９は、対物レンズとキャリッジ５との相対的な位置関係を示すレンズ位置信号を生成し、モータ駆動部１０に出力する。
【００３６】
サーボ処理部９は、ＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６は、フィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【００３７】
以下、本発明の光ディスクの記録方法について説明する。
【００３８】
図２は、本発明の一実施の形態における光ディスク装置の記録方法を示すフローチャートである。
【００３９】
起動処理を終えた光ディスク装置は、使用者の指示により光ディスク１への書き込みを行なう（Ｓ１）。書き込み中には、コントローラ１３により常に書き込みエラーが発生していないかの監視が行なわれ（Ｓ２）、その動作は、使用者の指示による書き込みが終了するまで続けられる。コントローラ１３では、光ピックアップ４からアナログ信号処理部８を介してコントローラ１３に送られる信号、もしくは光ピックアップ４からアナログ信号処理部８、デジタル信号処理部１１を介してコントローラ１３に送られる信号によって監視を行なう。使用者の指示により書き込みが終了（Ｓ３）すると、コントローラ１３の指示により、使用者からの次の命令がくるまで光ディスク装置は待機状態に入る（Ｓ４）。書き込み中に行なわれる書き込みエラーの監視時に光ディスク１の外周部の反りなどに起因する不具合などにより書き込みエラーが発生すると、コントローラ１３は現在記録されている記録層がどの記録層であるかの判断を行なう（Ｓ５）。
【００４０】
ここで、現在記録されている記録層が光ディスク１に最後に記録される層、つまり２層ディスクではＬａｙｅｒ２層の場合に、コントローラ１３は、その書き込み動作を終了（Ｓ７）して、デジタル信号処理部１１を介してホストへ書き込みエラーの通知を行なう。ホストは、その通知を受けて、エラーメッセージを表示装置の画面に表示して光ディスク１の書き込みが中止される。使用者からの次の命令がくるまで光ディスク装置は待機状態に入る（Ｓ４）。また、現在記録されている記録層が光ディスク１に最後に記録される層でない場合、つまり２層ディスクではＬａｙｅｒ１層の場合には、コントローラ１３はサーボ処理部９、モータ駆動部１０を介してピックアップモジュール２に指示を与え、記録する記録層をＬａｙｅｒ１層からＬａｙｅｒ２層に切り替えて書き込みの継続を行なう（Ｓ６）。
【００４１】
次に、記録する記録層をＬａｙｅｒ１層からＬａｙｅｒ２層に切り替えて行なわれる書き込みの継続について、図３を用いて詳細を説明する。
【００４２】
図３は、本発明の一実施の形態における光ディスク装置の記録方法を示す模式図であり、図３（ａ）は光ディスクの外観図、図３（ｂ）は光ディスクの断面図で記録層（Ｌａｙｅｒ１層、Ｌａｙｅｒ２層）のみを表したものである。図中に示す番号（１）、（２）は複数の記録層を持つ光ディスク１に対しての記録順序を示し、図中の矢印は記録する領域と記録する方向を示したものである。複数の記録層を持つ光ディスク１、例えば、ＤＶＤ＋Ｒ  ＤＬの場合では、まず、使用者の指示による書き込みがＬａｙｅｒ１層の最内周から最外周にかけて行なわれる。Ｌａｙｅｒ１層を書き込み中に光ディスク１の反りなどにより記録の途中で記録の継続ができなくなった場合、光ディスク１面上の記録の継続ができなくなった地点から内周方向でかつ異なった記録層に記録が継続され、また、異なった記録層に記録される記録開始位置の光ディスク１中心からの距離は、前記光ディスク１面上の記録の継続ができなくなった地点の光ディスク１中心からの距離と略同一に光ピックアップ４が移動して記録の継続を行なう。
【００４３】
例えば、図３中のＡ部で記録の継続ができなくなったとすると、コントローラ１３は、光ディスク１中心からの距離がＡ部と略同一で異なる記録層Ｌａｙｅｒ２層にあるＢ部に光ピックアップ４が移動して光ディスク１の内周方向に向かって記録の継続を行なう。
【００４４】
本実施の形態においては、光ディスク１の反りなどにより記録の途中で記録の継続ができなくなった場合、光ディスクの残された使用可能な部分を最大限に生かすことを考慮して、光ディスク１中心からの距離がＡ部と略同一で異なる記録層Ｌａｙｅｒ２層にあるＢ部に光ピックアップ４が移動して記録の継続を行なったが、記録の継続はこれに限定されるものでは無く、図３中のＣ部やＤ部から光ディスク１の内周方向へ向かって記録の継続を行なっても良い。好ましくは、光ディスク１中心からの距離がＡ部と略同一で異なる記録層Ｌａｙｅｒ２層にあるＢ部に光ピックアップ４が移動して行なわれる記録の継続である。
【００４５】
また、本実施の形態においては、複数の記録層を持つ光ディスク１に、書き換え不可のものを用いた。そうすることにより、従来、光ディスク１の外周部で記録エラーが発生した場合、完全に使用不可となっていた光ディスク１を使用可能な領域のみ救済することが可能となる。
【００４６】
さらに、本実施の形態では、Ｌａｙｅｒ１層を書き込み中に光ディスク１の反りなどにより記録の途中で記録の継続ができなくなった場合、光ディスク１面上の記録の継続ができなくなった地点から内周方向でかつ異なった記録層に記録が継続されることとしたが、光ディスク１への記録が、光ディスク１に生じている何らかの部分的な欠損により継続ができなくなった場合、光ディスク１面上の記録の継続ができなくなった地点から、内周方向に限定せず異なった記録層に記録が継続されても良い。こうすることにより、光ディスク１に発生している何らかの部分的な欠損による記録エラーを回避することができ、従来、光ディスク１に何らかの部分的な欠損による記録エラーが発生した場合、無駄になっていた異なる記録層を限りなく使用することができる。
【００４７】
但し、光ディスク１面上の記録の継続ができなくなった地点から、内周方向に限定せず異なった記録層に記録が継続される場合には、光ディスク１の記録できない領域を特定するための機能が必要となるため、記録の途中で記録の継続ができなくなった場合、光ディスク１面上の記録の継続ができなくなった地点から内周方向でかつ異なった記録層に記録が継続されることが好ましい。
【００４８】
以上の内容により、複数の記録層を持つ光ディスクに記録をする際に、光ディスクの反りなどにより記録の途中で記録の継続ができなくなった場合、光ディスク面上の記録の継続ができなくなった地点から内周方向でかつ異なった記録層に記録が継続されることにより、光ディスクの反りなどによる光ディスク外周方向での記録エラーを回避することができ、従来、光ディスクの外周部で記録エラー発生した場合、無駄になっていた光ディスクの異なる記録層の内周部を無駄なく使用することができる。
【００４９】
そのため、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法及び光ディスク装置を実現することができる。
【００５０】
なお、本実施の形態においては、複数の記録層を持つ光ディスクの一例としてＤＶＤ＋Ｒ  ＤＬを用いて説明したが、複数の記録層を持つ光ディスクはＤＶＤ＋Ｒ  ＤＬに限定されるものではなく、複数の記録層を持つ光ディスクは、光ディスクの厚み方向に複数の記録層を持つものであれば、例えば、ＤＶＤ−Ｒ  ＤＬ（Ｄｕａｌ  Ｌａｙｅｒ）などでも良い。
【００５１】
また、本実施の形態では、複数の記録層を持つ光ディスクに、書き換え不可のものを用いた。複数の記録層を持つ光ディスクは書き換え不可のものに限定されるものではないが、本発明の効果が最大限に発揮されるのは、複数の記録層を持つ書き換え不可の光ディスクとなる。
【産業上の利用可能性】
【００５２】
本発明は、記録型光ディスクへの記録中に記録エラーが発生するような場合であっても、光ディスクが複数の記録層を持つ場合には、記録エラーが発生する確率を低減し、光ディスクの容量を有効活用することが可能な光ディスクの記録方法及び光ディスク装置を実現することができ、光ディスクに情報の記録を行う光ディスクの記録方法及び光ディスク装置などに適応可能である。
【図面の簡単な説明】
【００５３】
【図１】本発明の一実施の形態における光ディスク装置の構成を示すブロック図
【図２】本発明の一実施の形態における光ディスク装置の記録方法を示すフローチャート
【図３】本発明の一実施の形態における光ディスク装置の記録方法を示す模式図
【図４】従来の光ディスク装置の構成を示すブロック図
【図５】従来の光ディスク装置の記録方法を示すフローチャート
【符号の説明】
【００５４】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    デジタル信号処理部
１２    レーザ駆動部
１３    コントローラ
【図１】
2006216126.tif 000003
【図２】
2006216126.tif 000004
【図３】
2006216126.tif 000005
【図４】
2006216126.tif 000006
【図５】
2006216126.tif 000007